(57)【要約】【課題】電源起動時に操作画面を起動画面として立ち上げ表示されないように操作可能にすること。【解決手段】ＰＬＣ３０により制御されるターゲットシステム４０を図形要素で状況表示したりユーザ操作したりするための操作画面Ｐ１をタッチパネル付き表示画面に電源起動時に立ち上げ表示するプログラマブル表示器２０に対して、電源起動時にタッチパネル２７ａの少なくとも１つの特定領域Ｔｂに対する特定形態の押し操作に応答して当該画面上に上記操作画面Ｐ１に代えて特定画面Ｐ２を立ち上げ表示する。【選択図】図６
2008077146.tif 000002
【特許請求の範囲】
【請求項１】
ＰＬＣにより制御されるデバイスを図形要素で状況表示したりユーザ操作したりするための操作画面をタッチパネル付き表示画面に電源起動時に立ち上げ表示する表示器に対して、電源起動時にタッチパネルの少なくとも１つの特定領域に対する特定形態の押し操作に応答して当該画面上に上記操作画面に代えて特定画面を立ち上げ表示する、ことを特徴とする表示器の画面表示制御方法。
【請求項２】
上記押し操作が一定時間以上の継続した連続押し操作である、ことを特徴とする請求項１に記載の表示器の画面表示制御方法。
【請求項３】
上記特定画面はシステム画面である、ことを特徴とする請求項１または２に記載の表示器の画面表示制御方法。
【請求項４】
ＰＬＣにより制御されるデバイスを図形要素で状況表示したりユーザ操作したりするための操作画面をタッチパネル付き表示画面に電源起動時に立ち上げ表示する表示器において、電源起動時にタッチパネルの少なくとも１つの特定領域に対する特定形態の押し操作に応答して当該画面上に上記操作画面に代えて特定画面を立ち上げ表示する、ことを特徴とする表示器。
【発明の詳細な説明】
【技術分野】
【０００１】
本発明は、コンピュータで作成した各種の操作画面のうち任意の操作画面を表示器の電源起動時の起動画面として立ち上げ表示する場合に際して当該表示器の画面表示制御方法および該表示器に関する。
【背景技術】
【０００２】
プログラマブルロジックコントローラ（ＰＬＣ）と、プログラマブル表示器と、パーソナルコンピュータ（外部ＰＣ）と、を備えた制御システムにおいては、ＰＬＣによりデバイスをシーケンス制御し、プログラマブル表示器によりデバイスの状況を表示したり操作したりすることができ、また、外部ＰＣはこれらＰＬＣやプログラマブル表示器をプロトコル通信により制御することができるようになっている。
【０００３】
このような制御システムにおいて、プログラマブル表示器は、その画面に、工場設備内の操作盤、スイッチ、表示灯等のデバイスを表示したり、デバイスの稼働状況や作業指示のような管理のための各種のモニタ、機器に対する設定値を入力するための操作画面を表示する（特許文献１参照）。
【０００４】
すなわち、プログラマブル表示器の操作画面上に各種デバイスの制御や操作のためこれらに対応してメータ、グラフ、スイッチ等の各種ＨＭＩ（ヒューマン・マシーン・インタフェース）部品が表示されている。このような操作画面は、外部ＰＣを作画ツールとしてそれに内蔵する作画ソフトあるいはインストールした作画ソフトを用いて外部ＰＣの表示部に編集画面を表示し、その編集画面上でユーザが独自に編集作成することができる。
【０００５】
プログラマブル表示器においては、このような操作画面を上記制御システムに応じて１つあるいは複数備えており、プログラマブル表示器の電源起動時には任意の操作画面を起動画面として立ち上げ表示することができるようになっている。
【０００６】
しかしながら、操作画面を作成した画面作成者が電源起動時に上記起動画面を立ち上げ表示させたくない場合、起動画面を立ち上げ表示する前に各種の操作画面のいずれかを削除したい場合、あるいは、修正したい場合等がある。このような場合にも、電源起動時に操作画面が起動画面として立ち上げ表示されたのでは不都合である。
【特許文献１】特開２０００−１９４４７２号公報。
【発明の開示】
【発明が解決しようとする課題】
【０００７】
したがって、本発明により解決すべき課題は、電源起動時に必要に応じて操作画面を起動画面として立ち上げ表示しないように操作可能にすることである。
【課題を解決するための手段】
【０００８】
本発明による表示器の画面表示方法は、ＰＬＣにより制御されるデバイスを図形要素で状況表示したりユーザ操作したりするための操作画面をタッチパネル付き表示画面に電源起動時に立ち上げ表示する表示器に対して、電源起動時にタッチパネルの少なくとも１つの特定領域に対する特定形態の押し操作に応答して当該画面上に上記操作画面に代えて特定画面を立ち上げ表示することを特徴とするものである。
【０００９】
上記押し操作が一定時間以上の継続した連続押し操作であることが好ましい。一定時間以上の継続とすることにより誤操作を有効に防止することができて好ましい。
【００１０】
上記特定画面はシステム画面であることが好ましい。このシステム画面にはメンテナンス画面がある。メンテナンス要員はこのメンテナンス画面からシステム診断、デバイスモニタ、コントラスト調整、プロジェクト削除等ができて好ましい。
【００１１】
タッチパネルはデジタル方式でも、アナログ方式でもよい。
【００１２】
上記特定領域は、タッチパネルを複数に分割し、その分割した一つの領域で構成してもよい。こうした場合、特定領域への操作に影響されずに、他の分割領域での操作画面の表示を行うことができて好ましい。
【００１３】
上記特定領域は複数領域でもよい。こうすることにより、電源起動に際して特定領域を誤って押し操作するなどの誤操作を防止することができて好ましい。
【００１４】
上記特定領域の位置は特に限定しないが、表示画面の四隅のいずれでもよい。
【００１５】
メンテナンス画面の表示形態は特に限定しない。
【００１６】
メンテナンスには例えばプロジェクトの削除、修正等がある。プロジェクトは、複数の単位画面ファイルを１つにまとめて構成される。
【００１７】
本発明によると、操作画面を作成した画面作成者あるいはメンテナンス要員等が電源起動時に上記起動画面を立ち上げ表示させたくない場合、起動画面を立ち上げ表示する前に各種の操作画面等のいずれかを削除したい場合、操作画面を修正したい場合等において、電源起動時に上記タッチパネルを一定時間以上継続押し操作することにより、その操作画面に代えて特定画面例えばメンテナンス画面を起動画面として立ち上げ表示することができ、上記操作画面の内容やその内容に対するメンテナンスを第三者に容易に知られずに済む。
【発明の効果】
【００１８】
本発明によれば、電源起動時に操作画面を起動画面として立ち上げ表示せず、操作画面以外の特定画面を表示することができるので、当該操作画面の内容やそれ対するメンテナンス内容等を第三者に知られずに済む。
【発明を実施するための最良の形態】
【００１９】
以下、添付した図面を参照して、本発明の実施の形態に係るプログラマブル表示器の画面表示制御方法を説明する。図１は本発明の実施形態に係る制御システムの構成を示す図、図２はプログラマブル表示器の正面図、図３はプログラマブル表示器の操作画面を示す図、図４はプログラマブル表示器の特定画面を示す図、図５はプログラマブル表示器の表示制御の動作説明に供するフローチャート、である。
【００２０】
まず図１を参照して、１０はパーソナルコンピュータ（外部ＰＣ）、２０はプログラマブル表示器、３０はプログラマブルコントローラ（ＰＬＣ）、４０はターゲットシステム（複数のデバイス）である。外部ＰＣ１０と、プログラマブル表示器２０と、ＰＬＣ３０とにより工場に設備されたターゲットシステム４０を制御する制御システムが構築される。
【００２１】
外部ＰＣ１０は、一般の汎用パーソナルコンピュータと同様に、ＣＰＵ１１、メモリ１２、外部記憶装置１３、表示装置１４および入力装置１５、通信制御部１６、Ｉ／Ｏ部１７、作画エディタ１８、データベース１９を有している。外部ＰＣ１０は、プログラマブル表示器２０との間の通信を行うために共通ネットワーク５０に接続されている。以上の構成を備えた外部ＰＣ１０は、共通ネットワーク５０を介したプログラマブル表示器２０との間のデータ通信処理を行うとともに、作画エディタ１８で作成されたユーザ画面をプログラマブル表示器２０に転送したり、プログラマブル表示器２０から配信されたＰＬＣ３０の入力データや出力データを収集したりする処理を行うことができる。外部ＰＣ１０は、作画エディタ１８で作成されたユーザ画面およびＰＬＣ３０の入出力データをデータベース１９に登録したり、データベース１９に登録されたそれらのデータを読み出したりすることができるようになっている。
【００２２】
プログラマブル表示器２０は、外部ＰＣ１０やＰＬＣ３０とのＩ／Ｏ部２１，２２、通信制御部２３，２４、メモリ２５や、表示装置２６、タッチパネル装置２７、グラフィックメモリ２８を備えるとともに、プログラマブル表示器２０の各部の動作を制御するＣＰＵ２９を有してしている。表示装置２６は表示画面２６ａと表示コントローラ２６ｂとからなり、タッチパネル装置２７はタッチパネル２７ａと、タッチパネルコントローラ２７ｂとからなる。
【００２３】
プログラマブル表示器２０は、外部ＰＣ１０の作画エディタ１８で作成されたユーザ画面に基づいてＶＲＡＭなどのメモリ２５を用いて表示装置２６の表示画面２６ａ上にユーザ画面を描画させることができる。ユーザ画面には、ＨＭＩ部品やタグが画像ブロックとして合成されている。ユーザ画面においては、部品やタグが外部入出力機器の動作に応じて動くようになっており、ターゲットシステム４０の動作状況が視覚化されている。
【００２４】
プログラマブル表示器２０は、上記各種メモリ２５に、表示制御プログラムや、通信プログラム、ファームウエア、電源起動時に実行する初期化プログラム、内部起動プログラム、起動選択プログラム、画面データをメンテナンスするためのメンテナンスプログラム、ファームウエア、画面データ、フォントデータ、等を格納している。ファームウエアはプログラマブル表示器２０のハードウエアを制御するためのプログラムである。通信プログラムはＰＬＣ３０や外部ＰＣ１０との通信のためのものである。画面データは外部ＰＣ１０の作画エディタ１８で作成され、ダウンロードされたものである。
【００２５】
ＰＬＣ３０は、制御シーケンスにしたがって、ターゲットシステム４０の入力デバイスから入力される信号に基づいてターゲットシステム４０の出力デバイスに与える制御データの演算処理を行う。
【００２６】
入力デバイスとしては、センサ（温度センサ、光センサなど）、スイッチ（押ボタンスイッチ、リミットスイッチ、圧力スイッチなど）のような機器が用いられる。出力デバイスとしては、アクチュエータ、リレー、電磁弁、などが用いられる。これらターゲットシステム４０は、製造ラインなどの所要各部に配置される。
【００２７】
以上の構成において、外部ＰＣ１０で作成された画面データはプログラマブル表示器２０が解読可能なデータ形式としてプログラマブル表示器２０に転送される。プログラマブル表示器２０ではこの画面データをフラッシュメモリなどのメモリ２５に記憶可能なファイル形式で記憶し、ＰＬＣ３０の稼働時に、ＰＬＣ３０との間でやり取りされるデータに基づいて、ターゲットシステム４０の動作状態に応じて表示装置２６の表示画面２６ａに各部品や図形からなる操作画面Ｐ１として表示する。
【００２８】
図２は、プログラマブル表示器２０の正面図を示す。プログラマブル表示器２０の表示画面２６ａ上に透明のタッチパネル２７ａが設けられ、このタッチパネル２７ａは表示画面２６ａに表示されている操作画面Ｐ１を押し操作（タッチパネル操作）する通常操作領域Ｔａと、電源スイッチ２６ｃを操作した電源起動時に押し操作（タッチパネル操作）される特定操作領域Ｔｂとがある。特定操作領域Ｔｂは破線で囲む領域である。
【００２９】
この特定操作領域Ｔｂは電源起動時においての領域であり、操作画面領域を広くするために、電源起動後は通常操作領域Ｔａとして操作画面を表示することができる領域とすることができる。
【００３０】
特定操作領域Ｔｂの配置個数は１つでもよいし複数でもよい。
【００３１】
特定操作領域Ｔｂの配置位置はタッチパネル２７ａの中央でもよいし、四隅のいずれでもよい。
【００３２】
また、特定操作領域Ｔｂを複数設け、各特定操作領域Ｔｂごとに特定に対応付けした領域とすることができる。
【００３３】
また、特定操作領域Ｔｂを複数同時押し操作することによりさらに特定に対応付けした領域とすることができる。
【００３４】
また、特定操作領域Ｔｂの所在をユーザが判り易くするために、特定の識別を付してもよい。例えば、電源起動時に特定の識別が表示され、電源起動後はその識別が消滅するようにしてもよい。
【００３５】
あるいは、電源起動ごとにその特定の識別表示を避けることができるように、予め、プログラムを組み込むことも可能である。
【００３６】
これら領域Ｔａ，Ｔｂそれぞれに対するタッチパネル操作によりタッチパネルコントローラ２７ｂは、操作領域Ｔａ，Ｔｂそれぞれのタッチパネル座標情報をＣＰＵ２９に伝送する。タッチパネルの座標は周知であるのでその説明は略する。ＣＰＵ２９は、そのタッチパネル座標情報に従い、通常領域Ｔａではその領域Ｔａに対応する表示画面２６ａに表示されている操作画面Ｐ１上の操作部品例えばスイッチ接点のオン操作に対応してＰＬＣ３０により該当ターゲットシステム４０のスイッチ接点をオンさせる。あるいは、その領域Ｔａ上の座標情報からその座標に対応した部品図形のデータをグラフィック用メモリ２８から読み出して該当の座標範囲上に表示する。図３にその操作画面Ｐ１の一例を示す。なお操作画面Ｐ１は多数枚あり、図３の操作画面Ｐ１は電源起動時に立ち上げ表示される画面である。これら操作画面Ｐ１は関連付けられる単位画面から構成される。表示内容に変更を要しない図形や文字が表示されたベース画面上で形状変化や点滅あるいは色変化させるランプやスイッチの様な各種の機能部品要素をまとめて１つの単位画面ファイルを構成している。これら複数の単位画面ファイルを１つにまとめてプロジェクトファイルが構成される。
【００３７】
また、特定操作領域Ｔｂでは電源起動時のその領域Ｔｂに対する特定操作に応じてメンテナンス画面やシステム画面等の特定画面Ｐ２の表示データをグラフィック用メモリ２８から読み出して表示画面２６ａに表示する。図４（ａ）（ｂ）にその特定画面Ｐ２を示す。この特定画面Ｐ２はシステム画面とすることができる。図４（ａ）は文字列によるシステム画面におけるメンテナンス画面を示す。このメンテナンス画面には、システムモード、デバイスモニタ、バックライト調整が示されている。システムモードは初期設定、自己診断である。また、プロジェクト修正、プロジェクト削除等も可能とする。デバイスモニタはデバイスの内容表示や、データの書き込みである。このメンテナンス画面はシステム画面の１つである。システム画面は動作モードの切替、バックライト調整、デバイスモニタ、システムメニューによる各種設定を行うための画面のことである。
【００３８】
図４（ｂ）に絵文字によるメンテナンス画面を示す。このメンテナンス画面では、英語表記で「ｉｎｆｏｒｍａｔｉｏｎ」（表示器の各種情報）、「ｓｅｔｔｉｎｇ」（表示器の各種設定）「ｔｅｓｔｍｅｎｕ」（表示器の各種テスト）「ｍｅｍｏｒｙ」（表示器の各種メモリ）が図形表示されている。これらをタッチパネル操作することによりさらに各種のメンテナンスが実施することができる。
【００３９】
なお、図５で示すように、特定操作領域Ｔｂを複数設け、各特定操作領域Ｔｂごとに特定に対応付けした領域とすることができる。例えば、特定操作領域Ｔｂを画面四隅に複数の特定操作領域Ｔｂ１，Ｔｂ２，Ｔｂ３，Ｔｂ４に分け、特定操作領域Ｔｂ１では、「第１のメンテナンス」、特定操作領域Ｔｂ２では、「第２のメンテナンスメニュー」、特定操作領域Ｔｂ３では「第３のメンテナンスメニュー」、特定操作領域Ｔｂ４では「第４のメンテナンスメニュー」とし、電源起動時に特定操作領域Ｔｂ１ないしＴｂ４それぞれのいずれか１つの連続押し操作あるいは複数同時の連続押し操作すると、それぞれのメンテナンスメニューの画面がそれぞれの操作領域で立ち上げ表示されるようにしてもよい。また、これら特定操作領域Ｔｂ１ないしＴｂ４をそれぞれ透明色で色分けしてもよい。
【００４０】
さらには、特定操作領域Ｔｂの操作態様をコード化することができる。電源を本電源と補助電源とに分け、本電源を表示器全体の電源とし、補助電源は特定操作領域Ｔｂに対する表示電源とし、電源スイッチの投入では補助電源が先に立ち上がって特定操作領域Ｔｂを表示させ、操作位置を明確にしてその操作を容易にするとともに、表示器を扱い慣れないユーザの便に供することができる。
【００４１】
本実施の形態のプログラマブル表示器２０の画面２６の表示制御方法においては、図６で示すように、ＣＰＵ２９は、ステップＳＴ１の電源起動時に、ステップＳＴ２で、特定領域Ｔｂに対する押し操作が一定時間継続して連続押し操作された否かを判断する。特定領域Ｔｂに対する押し操作が一定時間継続して連続押し操作されなかった場合は、ステップＳＴ３でグラフィック用メモリ２８から操作画面Ｐ１のデータを読み出して表示画面２６ａに図３のように該操作画面Ｐ１を表示する。また、ＣＰＵ２９は、電源起動時に、特定領域Ｔｂに対する押し操作が一定時間継続して連続押し操作された場合、ステップＳＴ４でそれに対応してグラフィック用メモリ２８から操作画面Ｐ１のデータではなく特定画面Ｐ２のデータ例えばメンテナンス画面のデータを読み出して該当の座標範囲上に図４のように表示する。
【００４２】
こうしてＣＰＵ２９はこの特定領域Ｔｂのタッチパネル操作が電源起動時に一定時間以上継続したときには表示画面２８ａ上に操作画面Ｐ１に代えて特定画面Ｐ２を起動画面として立ち上げ表示する。
【００４３】
本実施の形態によると、操作画面Ｐ１を作成した画面作成者あるいはメンテナンス要員が電源起動時に操作画面Ｐ１を起動画面として立ち上げ表示させたくない場合、起動画面を立ち上げ表示する前に各種の操作画面のいずれかを削除したい場合、操作画面Ｐ１を修正したい場合等において、電源起動時に同時に上記タッチパネル２７ｂの領域Ｔｂを一定時間以上押圧継続することにより、その操作画面Ｐ１に代えて特定画面Ｐ２を起動画面として立ち上げ表示することができ、上記操作画面Ｐ１の内容やその内容に対する保守を第三者に知られずに済むようにすることができる。
【図面の簡単な説明】
【００４４】
【図１】図１は本発明の実施形態に係る制御システムの構成を示す図である。
【図２】図２はプログラマブル表示器の正面図である。
【図３】図３はプログラマブル表示器の操作画面を示す図である。
【図４】図４（ａ）はプログラマブル表示器の特定画面を示す図、図４（ｂ）は特定画面の他の例を示す図である。
【図５】図５は特定操作領域の他の例を示す図である。
【図６】図６はプログラマブル表示器の表示制御の動作説明に供するフローチャートである。
【符号の説明】
【００４５】
１０  外部ＰＣ
２０  プログラマブル表示器
２６  表示装置
２６ａ  表示画面
２６ｂ  表示コントローラ
２７  タッチパネル装置
２７ａ  タッチパネル
２７ｂ  タッチパネルコントローラ
３０  ＰＬＣ
４０  ターゲットシステム
Ｐ１  操作画面
Ｐ２  特定画面
Ｔａ  通常領域
Ｔｂ  特定領域
【図１】
2008077146.tif 000003
【図２】
2008077146.tif 000004
【図３】
2008077146.tif 000005
【図４】
2008077146.tif 000006
【図５】
2008077146.tif 000007
【図６】
2008077146.tif 000008